(57)【要約】      （修正有）【課題】数多くのロール状物品を衛生的にストックすることが可能であるとともに、ロール状物品の取出が容易なロール状物品のスペアカートリッジを提供する。【解決手段】部屋の壁Ｗに設置可能に構成され且つ壁Ｗと反対側の下部に取出口１０を備え、取出口１０に向かって下り勾配の底面１ａを有する小箱１からなり、小箱１内に、ロール状物品を多数収納可能に構成されたロール状物品のスペアカートリッジにおいて、小箱１内に、取出口１０に臨む位置にあって縦１列に複数のスペアロールＳが収納される第１収納空間１１と、第１収納空間１１に隣接した状態で小箱１の底面１ａの上方に位置して複数列のスペアロールＳを収納可能とされる第２収納空間１２とを設けるとともに、第２収納空間１２に、取出口１０と反対側に位置する側面１ｂに対して弧回動可能に枢支された複数枚の板部材１２ａ，１２ｂ・・をスペアロールＳの直径と同じ高さの間隔を開けて設けた。【選択図】図１
2014221141.tif 000002
【特許請求の範囲】
【請求項１】
部屋の壁に設置可能に構成され且つ壁と反対側の下部に取出口を備え、該取出口に向かって下り勾配の底面を有する小箱からなり、該小箱内に、ロール状物品を多数収納可能に構成されたロール状物品のスペアカートリッジであって、前記小箱内には、前記取出口に臨む位置にあって縦１列に複数のロール状物品が収納される第１収納空間と、該第１収納空間に隣接した状態で前記小箱の底面の上方に位置して複数列のロール状物品を収納可能とされる第２収納空間とを設けるとともに、該第２収納空間には、前記取出口と反対側に位置する側面に対して弧回動可能に枢支された複数枚の板部材を前記ロール状物品の直径と同じ高さの間隔を開けて設けたことを特徴とするロール状物品のスペアカートリッジ。
【請求項２】
前記板部材の幅寸法Ｄ、前記板部材上に収納されるロール状物品の数をＮ、ロール状物品の直径をＲとしたとき、（Ｎ−１）Ｒ＞Ｄ＞（Ｎ−２）＋Ｒ／２となるよう設定したことを特徴とする請求項１記載のロール状物品のスペアカートリッジ。
【請求項３】
前記ロール状物品としてトイレットペーパーを採用したことを特徴とする請求項１および２のいずれか一項記載のロール状物品のスペアカートリッジ。
【発明の詳細な説明】
【技術分野】
【０００１】
本願発明は、ロール状物品のスペアカートリッジに関し、さらに詳しくはトイレットペーパーや缶詰、カートリッジガスボンベ、ペーキ缶、円筒形状の食品などのロール状物品を保管しておくためのスペアカートリッジに関するものである。
【背景技術】
【０００２】
ホテル、事業所、大型小売店などの業務用トイレでは、スペアのトイレットペーパー（スペアロール）は往々にして、４０〜１００本を段ボールケースにいれた形で、トイレの掃除道具などと一緒に小部屋の床に置かれている。
【０００３】
ところが、モップや箒などの掃除道具は、濡れた状態で収納されるので、それらの掃除道具から滴り落ちる水で小部屋の床（土間）が濡れる場合があり、床に置かれたスペアロール入りの段ボールケースが濡れてしまうことがあり、衛生的ではないという問題が生ずる。
【０００４】
また、４０〜１００本入りの段ボールケースの場合、その上にものが置かれると中のロールが取り出しにくくなり、占有空間が大きくなりすぎるという問題も生ずる。
【０００５】
このようなことから、掃除道具をいれる小部屋の壁の小空間を利用して棚を設け、小出しにしたトイレットペーパーをそのような棚の上に置いてストックしている例もあるが、トイレットペーパーが棚から転がり落ちると、前述した汚れた床に落ちてしまい、不衛生であるという問題が生ずる。
【０００６】
上記のような不都合に鑑み、ポリ袋に包装した４〜１８ロールの商品が業務用トイレに使われる例が増えている。この場合、ポリ袋包装なので、床に落ちてもロールは濡れることはないが、ポリ袋の表面が汚れた水で汚染されるため、やはり衛生的とは言い難い。
【０００７】
ところで、公衆トイレ等での使用に適したロールペーパーホルダー装置としては、箱体内にロールペーパーの支承軸を突設するとともに該箱体の上面にロールペーパーの補充室を上方に連設し、該補充室内のロールペーパーが前記支承軸にて支承されているロールペーパーの側方に順次降下する構造のものが知られている（特許文献１参照）。
【先行技術文献】
【特許文献】
【０００８】
【特許文献１】特開２００３−１５９１９８号公報
【発明の概要】
【発明が解決しようとする課題】
【０００９】
上記特許文献１に開示されているロールペーパーホルダー装置の場合、補充室内に収納されるロールペーパーの数には限りがあるところから、多数のロールを用意することが難しいという問題がある。
【００１０】
本願発明は、上記のような課題を解決するために行われたものであり、数多くのロール状物品を衛生的にストックすることが可能であるとともに、ロール状物品の取出が容易であり且つ一方向だけの解放空間があればカートリッジを動かすことなくロール状物品を１個ずつ取り出すことができるロール状物品のスペアカートリッジを提供することを目的としてなされたものである。
【課題を解決するための手段】
【００１１】
本願発明では、上記課題を解決するための第１の手段として、部屋の壁に設置可能に構成され且つ壁と反対側の下部に取出口を備え、該取出口に向かって下り勾配の底面を有する小箱からなり、該小箱内に、ロール状物品を多数収納可能に構成されたロール状物品のスペアカートリッジにおいて、前記小箱内に、前記取出口に臨む位置にあって縦１列に複数のロール状物品が収納される第１収納空間と、該第１収納空間に隣接した状態で前記小箱の底面の上方に位置して複数列のロール状物品を収納可能とされる第２収納空間とを設けるとともに、該第２収納空間に、前記取出口と反対側に位置する側面に対して弧回動可能に枢支された複数枚の板部材を前記ロール状物品の直径と同じ高さの間隔を開けて設けている。  
上記のように構成したことにより、取出口から１個ずつロール状物品を取り出すと、第１収納空間に縦１列に収納されたロール状物品が順次降下してくると同時に、第２収納空間に収納されているロール状物品の内、上端の板部材の上に収納された複数のロール状物品が第１収納空間に収納されているロール状物品の上に転がって落ちてくる。そして、第１収納空間に収納されているロール状物品が順次取り出されて、第２収納空間の上端の板部材の上に収納されているロール状物品の全部が転がり落ちると、第２収納空間における上端の板部材とその下の板部材との間に収納されている複数のロール状物品が第１収納空間に収納されているロール状物品の上に転がって落ちてくる。このようにして、第２収納空間に収納されているロール状物品の全部が第１収納空間に順次落ちてきて、取出口から順次取り出されることとなる。従って、数多くのロール状物品を衛生的にストックすることが可能であるとともに、１個ずつのロール状物品の取出が容易となる。また、一方向だけ（即ち、取出口側）の解放空間があればカートリッジを動かすことなくロール状物品を１個ずつ取り出すことができる。
【００１２】
本願発明では、さらに、上記課題を解決するための第２の手段として、第１の手段を備えたロール状物品のスペアカートリッジにおいて、前記板部材の幅寸法Ｄ、板部材上に収納されるロール状物品の数をＮ、ロール状物品の直径をＲとしたとき、（Ｎ−１）Ｒ＞Ｄ＞（Ｎ−２）＋Ｒ／２となるようにすることもでき、そのように構成した場合、第２収納空間へ数多くのロール状物品を容易に収納し得るとともに、各板部材上に収納された複数列のロール状物品が転がり落ちるのを確実に防止することができる。
【００１３】
本願発明では、さらに、上記課題を解決するための第３の手段として、第１の手段又は第２の手段を備えたロール状物品のスペアカートリッジにおいて、前記ロール状物品としてトイレットペーパーを採用することもでき、そのように構成した場合、数多くのトイレットペーパーを衛生的にストックすることが可能となる。
【発明の効果】
【００１４】
本願発明の第１の手段によれば、部屋の壁に設置可能に構成され且つ壁と反対側の下部に取出口を備え、該取出口に向かって下り勾配の底面を有する小箱からなり、該小箱内に、ロール状物品を多数収納可能に構成されたロール状物品のスペアカートリッジにおいて、前記小箱内に、前記取出口に臨む位置にあって縦１列に複数のロール状物品が収納される第１収納空間と、該第１収納空間に隣接した状態で前記小箱の底面の上方に位置して複数列のロール状物品を収納可能とされる第２収納空間とを設けるとともに、該第２収納空間に、前記取出口と反対側に位置する側面に対して弧回動可能に枢支された複数枚の板部材を前記ロール状物品の直径と同じ高さの間隔を開けて設けたことにより、取出口から１個ずつロール状物品を取り出すと、第１収納空間に縦１列に収納されたロール状物品が順次降下してくると同時に、第２収納空間に収納されているロール状物品の内、上端の板部材の上に収納された複数のロール状物品が第１収納空間に収納されているロール状物品の上に転がって落ちてくるが、第１収納空間に収納されているロール状物品が順次取り出されて、第２収納空間の上端の板部材の上に収納されているロール状物品の全部が転がり落ちると、第２収納空間における上端の板部材とその下の板部材との間に収納されている複数のロール状物品が第１収納空間に収納されているロール状物品の上に転がって落ちてくるとともに、第２収納空間に収納されているロール状物品の全部が第１収納空間に順次落ちてきて、取出口から順次取り出されることとなり、数多くのロール状物品を衛生的にストックすることが可能であるとともに、１個ずつのロール状物品の取出が容易となるという効果がある。また、一方向だけ（即ち、取出口側）の解放空間があればカートリッジを動かすことなくロール状物品を１個ずつ取り出すことができるという効果もある。
【００１５】
本願発明の第２の手段におけるように、第１の手段を備えたロール状物品のスペアカートリッジにおいて、前記板部材の幅寸法をＤ、板部材上に収納されるロール状物品の数をＮ、ロール状物品の直径をＲとしたとき、（Ｎ−１）Ｒ＞Ｄ＞（Ｎ−２）＋Ｒ／２となるように構成した場合、第２収納空間へ数多くのロール状物品を容易に収納し得るとともに、各板部材上に収納された複数列のロール状物品が転がり落ちるのを確実に防止することができる。
【００１６】
本願発明では、さらに、上記課題を解決するための第３の手段として、第１の手段又は第２の手段を備えたロール状物品のスペアカートリッジにおいて、前記ロール状物品としてトイレットペーパーを採用した場合、数多くのトイレットペーパーを衛生的にストックすることが可能となる。
【図面の簡単な説明】
【００１７】
【図１】本願発明の第１の実施の形態にかかるロール状物品のスペアカートリッジの縦断面図である。
【図２】本願発明の第１の実施の形態にかかるロール状物品のスペアカートリッジの使用状態を示すもので、ロール状物品（即ち、スペアロール）の取出前の状態を示している。
【図３】本願発明の第１の実施の形態にかかるロール状物品のスペアカートリッジの使用状態を示すもので、ロール状物品（即ち、スペアロール）を１個取り出した状態を示している。
【図４】本願発明の第１の実施の形態にかかるロール状物品のスペアカートリッジの使用状態を示すもので、２個のロール状物品（即ち、スペアロール）を取り出した状態を示している。
【図５】本願発明の第１の実施の形態にかかるロール状物品のスペアカートリッジの使用状態を示すもので、３個のロール状物品（即ち、スペアロール）を取り出した状態を示している。
【図６】本願発明の第１の実施の形態にかかるロール状物品のスペアカートリッジの使用状態を示すもので、６個のロール状物品（即ち、スペアロール）を取り出した状態を示している。
【図７】本願発明の第２の実施の形態にかかるロール状物品のスペアカートリッジの縦断面図である。
【発明を実施するための形態】
【００１８】
以下、添付の図面を参照して、本願発明の好適な実施の形態について説明する。
【００１９】
図１ないし図６には、本願発明の第１の実施の形態にかかるロール状物品のスペアカートリッジが示されている。本実施の形態においては、ロール状物品としてトイレットペーパーのスペアロールＳを採用している。
【００２０】
このスペアカートリッジは、ホテル、事業所、大型小売店などの業務用トイレで使用されるトイレットペーパーのスペアロールＳをストックしておくためのスペアカートリッジであり、図１に示すように、部屋の壁Ｗに設置可能に構成され且つ壁Ｗと反対側の側面１ｂの下部に取出口１０を備え、該取出口１０に向かって下り勾配の底面１ａを有する小箱１からなっており、該小箱１内には、多数のスペアロールＳ1，Ｓ2・・・を収納可能に構成されている。前記下り勾配の傾斜は、スペアロールＳが自然に転がる程度でよく、本実施の形態においては、小箱１の底面１ａには、取出口１０に向かって下り勾配の傾斜板３が配設されているが、底面１ａを、取出口１０に向かって下り勾配となるように変形させる場合もある。
【００２１】
そして、前記小箱１内には、前記取出口１０に臨む位置にあって縦１列に４個のスペアロールＳ1，Ｓ2，Ｓ3，Ｓ4が収納される第１収納空間１１と、該第１収納空間１１に隣接した状態で前記小箱１の底面１ａの上方に位置して１２個のスペアロールＳ5〜Ｓ12を収納可能とされる第２収納空間１２とが設けられており、該第２収納空間１２には、前記取出口１０と反対側に位置する側面１ｃに対して弧回動可能に枢支された３枚の板部材１２ａ〜１２ｃが前記スペアロールＳの直径と同じ高さの間隔を開けて設けられている。つまり、前記傾斜板３と前記板部材１２ａ（即ち、板部材１２ａ〜１２ｃのうち下端に位置するもの）との間、板部材１２ａ，１２ｂ，１２ｃの間および板部材１２ｃ（即ち、板部材１２ａ〜１２ｃのうち上端に位置するもの）の上に３個ずつのスペアロールＳが乗せられることとなっているのである。また、前記板部材１２の幅寸法をＤ、板部材１２上に収納されるスペアロールＳの数をＮ、スペアロールＳの直径をＲとしたとき、（Ｎ−１）Ｒ＞Ｄ＞（Ｎ−２）＋Ｒ／２となるように構成されている。このように構成すると、第２収納空間１２へ数多くのスペアロールＳを容易に収納し得るとともに、各底面１ａ上および板部材１２ａ，１２ｂ，１２ｃ上に収納された複数列のスペアロールＳが転がり落ちるのを確実に防止することができる。
【００２２】
符号１ｄは小箱１の上面に位置する開口を開閉するための蓋部材、１３は蓋部材１ｄを支持する支持部材、１４は板部材１２の枢支端を回動自在に枢支する枢支軸である。
【００２３】
上記のように構成したことにより、図２に示すように、１２個のスペアロールＳが小箱１内に収納された状態のスペアカートリッジにおいて、第１収納空間１１に縦１列に収納されたスペアロールＳの内、下端に位置するスペアロールＳ1を取出口１０から取り出すと、第１収納空間１１に収納されているスペアロールＳ2，S3，Ｓ4が１個分下方に落下し、図３に示すように、第２収納空間１２の最上段に位置するスペアロールＳ5，Ｓ6も板部材１ｃ上を転がり落ちるが、上から２段目に位置する（即ち、板部材１ｃと板部材１ｂとの間に位置する）スペアロールＳ7は板部材１ｃ上に位置するスペアロールＳ5，Ｓ6の重さで板部材１ｃが押さえられているので動かないし、板部材１ａ上に位置するスペアロールＳ9はスペアロールＳ5〜Ｓ8の重さで板部材１ｂが押さえられているので動かないし、傾斜板３上に位置するスペアロールＳ11はスペアロールＳ5〜Ｓ10の重さで板部材１aが押さえられているので動かない。図３の状態から、スペアロールＳ2を取出口１０から取り出すと、スペアロールＳ3，Ｓ4は１個分下に落ち、スペアロールＳ5はスペアロールＳ7の円周表面に沿って転がり落ちて、図４に示す状態となる。このとき、スペアロールＳ7はスペアロールＳ6の重さで板部材１ｃが押さえられているので動かないし、スペアロールＳ9はスペアロールＳ6〜Ｓ8の重さで板部材１ｂが押さえられているので動かないし、スペアロールＳ11はスペアロールＳ6〜Ｓ10で板部材１ａが押さえられているので動かない。図４の状態から、スペアロールＳ3を取出口１０から取り出すと、スペアロールＳ4，Ｓ5は１個分下に落ち、スペアロールＳ6はスペアロールＳ7の円周表面に沿って転がり落ちて、図５に示す状態となる。このとき、スペアロールＳ6は垂直に落ちようとするので、スペアロールＳ7は左方向に力を受ける。スペアロールＳ7は板部材１ｃによる押さえ力を受けないが、スペアロールＳ6から受ける左方向の力で転がらない。また、スペアロールＳ9はスペアロールＳ7，Ｓ8の重さで板部材１ｂが押さえられているので動かないし、スペアロールＳ11はスペアロールＳ7〜Ｓ10で板部材１ａが押さえられているので動かない。図５の状態から、スペアロールＳ4，Ｓ5，Ｓ6を取出口１０から順次取り出すと、スペアロールＳ7，Ｓ8は板部材１ｃの圧力を受けないので、板部材１ｂの上を転がり、図３、図４におけるスペアロールＳ5，Ｓ6と同じように落ちてきて、図６に示す状態となる。図６の状態から、スペアロールＳ7を取出口１０から取り出すと、スペアロールＳ8が１個分下に落ち、スペアロールＳ8はスペアロールＳ7の位置に落ちてくる。この状態から、スペアロールＳ8を取出口１０から取り出し、同様にして、スペアロールＳ9，Ｓ10，Ｓ11，Ｓ12の順に取り出すことができる。
【００２４】
上記したように、取出口１０から１個ずつスペアロールＳを取り出すと、第１収納空間１１に縦１列に収納されたスペアロールＳが順次降下してくると同時に、第２収納空間１２に収納されているスペアロールＳの内、上端の板部材１ｃの上に収納された複数のスペアロールＳが第１収納空間１１に収納されているスペアロールＳの上に転がって落ちてくる。そして、第１収納空間１１に収納されているスペアロールＳが順次取り出されて、第２収納空間１２の上端の板部材１ｃの上に収納されているスペアロールＳの全部が転がり落ちると、第２収納空間１２における上端の板部材１ｃとその下の板部材１ｂとの間に収納されている複数のスペアロールＳが第１収納空間１１に収納されているスペアロールＳの上に転がって落ちてくる。このようにして、第２収納空間１２に収納されているスペアロールＳの全部が第１収納空間１１に順次落ちてきて、取出口１０から順次取り出されることとなる。従って、数多くのスペアロールＳを衛生的にストックすることが可能であるとともに、１個ずつのスペアロールＳの取出が容易となる。また、一方向だけ（即ち、取出口１０側）の解放空間があればカートリッジを動かすことなくスペアロールＳを１個ずつ取り出すことができる。
【００２５】
第２の実施の形態
図７には、本願発明の第２の実施の形態にかかるロール状物品のスペアカートリッジが示されている。本実施の形態においても、ロール状物品としてトイレットペーパーのスペアロールＳを採用している。
【００２６】
この場合、取出口１０は、小箱１の底面１ａにおける壁Ｗの反対側近傍に形成されており、この取出口１０の下方には、該取出口１０から取り出されるスペアロールＳを受け止める受け部１５が設けられている。
【００２７】
その他の構成および作用効果は、第１の実施の形態におけると同様なので、説明を省略する。
【００２８】
ところで、本願発明は、上記実施の形態において採用したトイレットペーパーに限定されるものではなく、円筒形の形状の物品であれば、缶詰、カートリッジガスボンベ、ペーキ缶、円筒形状の食品などを、家庭や商店などでケース梱包した物品をケースそのものを出し入れすることなく、かつカートリッジ前面以外の空間利用を阻害することなく、中身を１個ずつ取り出す目的にも有効である。
【００２９】
本願発明は、上記各実施の形態に限定されるものではなく、発明の要旨を逸脱しない範囲において適宜設計変更可能なことは勿論である。
【符号の説明】
【００３０】
１は小箱
１ａは底面
１ｂは側面
１ｃは側面
３は傾斜板
１０は取出口
１１は第１収納空間
１２は第２収納空間
１２ａ，１２ｂ，１２ｃは板部材
Ｓ，Ｓ1〜Ｓ12はロール状物品（スペアロール）
Ｗは部屋の壁
【図１】
2014221141.tif 000003
【図２】
2014221141.tif 000004
【図３】
2014221141.tif 000005
【図４】
2014221141.tif 000006
【図５】
2014221141.tif 000007
【図６】
2014221141.tif 000008
【図７】
2014221141.tif 000009